(57)【要約】【課題】内容物の拡散を防止して広い面積に展着でき、噴射に伴う圧迫感や冷感を抑えることができるとともに、内容物の詰まりを防止でき、噴射音も小さくできるエアゾール容器の噴射ボタンを提供すること。【解決手段】エアゾール容器ＣのステムＳに嵌合される嵌合孔１２を有し、ステムＳと連通する連通路１５が設けられた噴射ボタン本体１１と、この噴射ボタン本体１１の前記連通路１５を塞いで取り付けられ吐出口２５が設けられた噴口部材２１とを備えたエアゾール容器の噴射ボタン１０で、噴口部材２１に複数の吐出口２５を設け、これらの出口部２６に噴射方向に拡大する拡径部２８を形成する。これにより、噴射ボタン本体１１を押してエアゾール内容物を噴射させると、連通路１５から噴口部材２１に導入され、噴射方向に拡大している拡径部２８を有する複数の吐出口２５から噴射圧力を弱めて噴射され、エアゾール内容物の拡散を防止して広い面積に展着でき、噴射に伴う圧迫感や冷感を抑え、噴射音も小さくなる。【選択図】      図１
2004161339.tif 000002
【特許請求の範囲】
【請求項１】
エアゾール容器のステムに嵌合される嵌合孔を有し、この嵌合孔を介してステムと連通する連通路が設けられた噴射ボタン本体と、この噴射ボタン本体の前記連通路を塞いで取り付けられ吐出口が設けられた噴口部材とを備えたエアゾール容器の噴射ボタンであって、前記噴口部材に複数の前記吐出口を設けるとともに、これら吐出口の出口部が噴射方向に拡大していることを特徴とするエアゾール容器の噴射ボタン。
【請求項２】
前記噴口部材に、前記吐出口を３個円周等間隔に設けたことを特徴とする請求項１記載のエアゾール容器の噴射ボタン。
【請求項３】
前記噴口部材に設ける前記吐出口の出口部が、この噴口部材の径方向外側に向かってのみ拡大していることを特徴とする請求項１または２記載のエアゾール容器の噴射ボタン。
【請求項４】
前記噴口部材の前記吐出口の前記出口部に連通する入口部の流路壁を、段差のない平坦面としたことを特徴とする請求項１〜３のいずれかに記載のエアゾール容器の噴射ボタン。
【請求項５】
前記噴口部材の前記吐出口の前記出口部の先端部外周を吐出させて高く形成したことを特徴とする請求項１〜４のいずれかに記載のエアゾール容器の噴射ボタン。
【請求項６】
前記噴口部材の前記吐出口の前記入口部の基端部外周を吐出させて高く形成したことを特徴とする請求項１〜５のいずれかに記載のエアゾール容器の噴射ボタン。
【請求項７】
前記噴射ボタン本体に設けられる前記連通路の先端面と、この連通路を塞いで取り付けられる前記噴口部材の前記吐出口入口部の基端面とを最少流路を確保して近接して配置したことを特徴とする請求項１〜６のいずれかに記載のエアゾール容器の噴射ボタン。
【請求項８】
前記エアゾール容器が、人体に噴射塗布する粉体を含有する内容物用であることを特徴とする請求項１〜７のいずれかに記載のエアゾール容器の噴射ボタン。
【請求項９】
前記エアゾール容器が、人体に噴射塗布する制汗剤用であることを特徴とする請求項１〜８のいずれかに記載のエアゾール容器の噴射ボタン。
【発明の詳細な説明】
【０００１】
【発明の属する技術分野】
この発明はエアゾール容器の噴射ボタンに関し、内容物の拡散を防止して広い面積に展着でき、噴射に伴う冷感を抑えることができるとともに、内容物の詰まりを防止できるようにしたもので、特に粉末エアゾール内容物の噴射に好適なものである。
【０００２】
【従来の技術】
制汗剤や消臭剤などの粉末エアゾール製品では、粉末および油性成分などの内容物と噴射剤とがエアゾール容器に充填されており、ステムに取り付けたエアゾール容器の噴射ボタンを操作することで内容物を噴射剤の圧力で人体等に噴射させ、肌等に粉末を付着させて使用する。
【０００３】
このような粉末エアゾール製品を噴射させる噴射ボタンとして、通常の噴射ボタンを使用すると、放射状に噴射されることになって粉末が広く拡散されたり、噴射速度が高いため肌などに衝突して２次的な拡散が起こり、粉末を吸い込んでむせてしまったり、肌への展着性が劣ってしまう。
【０００４】
そこで、拡散を防止できるエアゾール用押しボタンとして、例えば特許文献１に開示された粉末エアゾール押釦があり、図６（ａ）に示すように、この押釦１には、ステムＳに嵌合される嵌合孔２の上方にステムＳからの内容物が導入される流通路３が形成され、この流通路３の側方に連通して小径のノズル４が形成され、このノズル４の先端にノズル４より大きな径の噴射口となる噴出路５が形成されて開口している。
【０００５】
これにより、押釦１を操作して弁機構を開くと、ステムＳを介して粉末エアゾール内容物が噴射剤とともに、流通路３に導入されて微粒子状に粉砕され、ノズル４および噴出路５から噴射されるが、ノズル４の先端に噴出路５が設けてあるので、ノズル４から噴射される内容物が噴出路５の内壁に突き当たって放射状に拡がらずに直線状に噴射され、目的部の狭い範囲に塗布することができる。
【０００６】
また、粉末エアゾール内容物用ではないが、局所的に内容物を噴射させるノズルとして、特許文献２に開示されたものがあり、図６（ｂ）に示すように、このノズル６には、ステムＳに嵌合される嵌合孔７と反対の上面を凹面８に形成するとともに、凹面８と嵌合孔７とを連通して複数の噴射孔９が形成してある。
【０００７】
これにより、ノズル６の凹面８を噴射を望む箇所、例えば育毛剤等を塗布する場合には、頭皮等に凹面８を塞ぐように押し当てて弁機構を開いて噴射させるようにし、内容物を凹面８の空間内に噴射させることで拡散を防止し、限られた噴射空間内に噴射できるようにしている。
【０００８】
【特許文献１】
特開２０００−２３８８６７号公報
【０００９】
【特許文献２】
特開平９−４７６９０号公報
【００１０】
【発明が解決しようとする課題】
ところが、前者の特許文献１の粉末エアゾール押釦１では、極狭い範囲に噴射して粉末を付着させるのには適しているものの、ある程度の広い範囲に粉末を付着しようとすると、ノズル４の先端の噴射路５を大きくしなければならず、噴射路５を大きくすると、内容物の拡散が起こり、展着性が劣ってしまうという問題がある。
【００１１】
一方、後者の特許文献２のノズル６では、複数の噴射孔９から凹面８の前方に形成される閉鎖空間内に噴射させることで噴射範囲を大きくしながら拡散を防止できることから育毛剤等のようにマッサージ効果をも必要とする場合には適しているものの、粉末エアゾール製品である制汗剤などに適用しようとすると、噴射孔９から噴射箇所までの噴射距離が短いため、噴射剤の強い圧迫感を感じたり、噴射剤による強い冷感を感じ、使用感が非常に悪くなってしまうという問題がある。
【００１２】
また、複数の噴射孔９が凹面８上で開口しているため噴射された内容物が凹面８に沿って流れ落ち噴射孔９を塞いでしまい次の使用が円滑にできないという問題がある。
【００１３】
さらに、エアゾール製品の使用感の一つに噴射音の問題があり、できるだけ噴射音を小さくできる噴射ボタンの開発が望まれている。
【００１４】
この発明はかかる従来技術の有する課題と要望に鑑みてなされたもので、内容物の拡散を防止して広い面積に展着でき、噴射に伴う圧迫感や冷感を抑えることができるとともに、内容物の詰まりを防止でき、噴射音も小さくできるエアゾール容器の噴射ボタンを提供しようとするものである。
【００１５】
【課題を解決するための手段】
上記従来技術の有する課題を解決するため、この発明の請求項１記載のエアゾール容器の噴射ボタンは、エアゾール容器のステムに嵌合される嵌合孔を有し、この嵌合孔を介してステムと連通する連通路が設けられた噴射ボタン本体と、この噴射ボタン本体の前記連通路を塞いで取り付けられ吐出口が設けられた噴口部材とを備えたエアゾール容器の噴射ボタンであって、前記噴口部材に複数の前記吐出口を設けるとともに、これら吐出口の出口部が噴射方向に拡大していることを特徴とするものである。
【００１６】
このエアゾール容器の噴射ボタンによれば、エアゾール容器のステムに嵌合される嵌合孔を有し、この嵌合孔を介してステムと連通する連通路が設けられた噴射ボタン本体と、この噴射ボタン本体の前記連通路を塞いで取り付けられ吐出口が設けられた噴口部材とを備えたエアゾール容器の噴射ボタンで、前記噴口部材に複数の前記吐出口を設けるとともに、これら吐出口の出口部を噴射方向に拡大するようにしており、噴射ボタン本体を押してステムからエアゾール内容物を噴射させると、連通路から噴口部材に導入され噴射方向に拡大している複数の吐出口から噴射圧力を弱めて噴射することで、エアゾール内容物の拡散を防止して広い面積に展着することができるとともに、噴射に伴う圧迫感や冷感を抑えることができ、しかも噴射音も小さくできるようになる。
【００１７】
また、この発明の請求項２記載のエアゾール容器の噴射ボタンは、請求項１記載の構成に加え、前記噴口部材に、前記吐出口を３個円周等間隔に設けたことを特徴とするものである。
【００１８】
このエアゾール容器の噴射ボタンによれば、前記噴口部材に、前記吐出口を３個円周等間隔に設けるようにしており、３個の吐出口により噴射圧力を弱めて噴射することで、ほぼ均一に噴射させることができるようになる。
【００１９】
さらに、この発明の請求項３記載のエアゾール容器の噴射ボタンは、請求項１または２記載の構成に加え、前記噴口部材に設ける前記吐出口の出口部が、この噴口部材の径方向外側に向かってのみ拡大していることを特徴とするものである。
【００２０】
このエアゾール容器の噴射ボタンによれば、前記噴口部材に設ける前記吐出口の出口部が、この噴口部材の径方向外側に向かってのみ拡大するようにしてあり、吐出口から噴射される内容物が中心部で重ならないように噴射させることができ、一層均一に噴射することができ、エアゾール内容物の拡散を防止して広い面積に展着することができるとともに、噴射に伴う圧迫感や冷感を抑えることができ、しかも噴射音も小さくできるようになる。
【００２１】
また、この発明の請求項４記載のエアゾール容器の噴射ボタンは、請求項１〜３のいずれかに記載の構成に加え、前記噴口部材の前記吐出口の前記出口部に連通する入口部の流路壁を、段差のない平坦面としたことを特徴とするものである。
【００２２】
このエアゾール容器の噴射ボタンによれば、前記噴口部材の前記吐出口の前記出口部に連通する入口部の流路壁を、段差のない平坦面としており、噴口部材の入口部に内容物が付着堆積することを防止して噴射させることができ、内容物の詰まりを防止するようにしている。
【００２３】
さらに、この発明の請求項５記載のエアゾール容器の噴射ボタンは、請求項１〜４のいずれかに記載の構成に加え、前記噴口部材の前記吐出口の前記出口部の先端部外周を吐出させて高く形成したことを特徴とするものである。
【００２４】
このエアゾール容器の噴射ボタンによれば、前記噴口部材の前記吐出口の前記出口部の先端部外周を吐出させて高く形成するようにしており、例え内容物が吐出口の出口部に残留して流れ落ちるようになことがあっても高くなっている先端部外周で付着を防止して閉塞を防止できるようにしている。
【００２５】
また、この発明の請求項６記載のエアゾール容器の噴射ボタンは、請求項１〜５のいずれかに記載の構成に加え、前記噴口部材の前記吐出口の前記入口部の基端部外周を吐出させて高く形成したことを特徴とするものである。
【００２６】
このエアゾール容器の噴射ボタンによれば、前記噴口部材の前記吐出口の前記入口部の基端部外周を吐出させて高く形成するようにしており、例え内容物が吐出口の入口部に残留して流れ落ちるようになことがあっても高くなっている基端部外周で付着を防止して閉塞を防止できるようにしている。
【００２７】
さらに、この発明の請求項７記載のエアゾール容器の噴射ボタンは、請求項１〜６のいずれかに記載の構成に加え、前記噴射ボタン本体に設けられる前記連通路の先端面と、この連通路を塞いで取り付けられる前記噴口部材の前記吐出口入口部の基端面とを最少流路を確保して近接して配置したことを特徴とするものである。
【００２８】
このエアゾール容器の噴射ボタンによれば、前記噴射ボタン本体に設けられる前記連通路の先端面と、この連通路を塞いで取り付けられる前記噴口部材の前記吐出口入口部の基端面とを最少流路を確保して近接して配置するようにしており、連通路の先端面と吐出口入口部の基端面との間の空間を最少流路として内容物の残留を極力低減して詰まりを一層防止できるようにしている。
【００２９】
また、この発明の請求項８記載のエアゾール容器の噴射ボタンは、請求項１〜７のいずれかに記載の構成に加え、前記エアゾール容器が、人体に噴射塗布する粉体を含有する内容物用であることを特徴とするものである。
【００３０】
このエアゾール容器の噴射ボタンによれば、前記エアゾール容器を、人体に噴射塗布する粉体を含有する内容物用としており、このような内容物用のエアゾール容器に用いることでエアゾール内容物の拡散を防止して広い面積に展着することができるとともに、噴射に伴う圧迫感や冷感を抑えることができ、しかも噴射音も小さくでき、詰まりも防止できるようになる。
【００３１】
さらに、この発明の請求項９記載のエアゾール容器の噴射ボタンは、請求項１〜８のいずれかに記載の構成に加え、前記エアゾール容器が、人体に噴射塗布する制汗剤用であることを特徴とするものである。
【００３２】
このエアゾール容器の噴射ボタンによれば、前記エアゾール容器を、人体に噴射塗布する制汗剤用としており、このような内容物用のエアゾール容器に用いることでエアゾール内容物の拡散を防止して広い面積に展着することができるとともに、噴射に伴う圧迫感や冷感を抑えることができ、しかも噴射音も小さくでき、詰まりも防止できるようになる。
【００３３】
【発明の実施の形態】
以下、この発明のエアゾール容器の噴射ボタンの実施の形態について図面に基づき詳細に説明する。
図１〜図３はこの発明のエアゾール容器の噴射ボタンの一実施の形態にかかり、図１は全体の正面図および縦断面図、図２は噴口部材の正面図、縦断面図および背面図、図３はそれぞれ噴射パターンの説明図である。
【００３４】
このエアゾール容器の噴射ボタン１０は、エアゾール容器ＣのステムＳに嵌合連結され、例えば固形粉末成分、油性成分、噴射剤等からなる粉末エアゾール内容物を、ステムＳを押圧操作することで図示しないバルブ機構を開いて、噴射するようにするものである。
【００３５】
このエアゾール容器の噴射ボタン１０は、エアゾール容器ＣのステムＳに嵌合連結される噴射ボタン本体１１と、この噴射ボタン本体１１の噴射口部分に設けられる噴口部材２１とで構成されている。
【００３６】
エアゾール容器の噴射ボタン１０の噴射ボタン本体１１には、下部中央にステムＳが嵌合される嵌合孔１２が形成され、下端部が円錐状に形成されてステムＳへの嵌合が容易にできるようにしてあり、この嵌合孔１２の上部に上端側壁部が噴射方向前方に傾斜した傾斜面を備える小径の流通路１３が一体に形成され、ステムＳから噴射された粉末エアゾール内容物が導入されるようになっている。
【００３７】
さらに、この噴射ボタン本体１１の流通路１３の中間部側方には、先端部が円柱状に突き出した突出部１４が形成され、この突出部１４の先端から流通路１３までの間に小径の連通路１５が噴射方向に形成してある。
【００３８】
この噴射ボタン本体１１の突出部１４の前方に開口室１６が形成され、この開口室１６に噴口部材２１が装着され、連通路１５の前方を塞ぐように突出部１４の外周に固定される。
【００３９】
この噴口部材２１は、略底付き円筒状に形成され、その底部分である仕切部２２の基端部（連通路１５側）に粉末エアゾール内容物が連通路１５を介して噴射される噴射室２３が形成されるとともに、この仕切部２２の先端面（外側面）が噴射面２４とされ、この噴射面２４（略底付き円筒状の底部分）を前方（外側）にして噴射ボタン本体１１の開口室１６に取付けられ、円筒部の内側端を突出部１４の外周部の溝底面に当接させることで位置決めされる。
【００４０】
これにより、噴射ボタン本体１１の突出部１４の先端面と仕切部２２の内側面との間に噴射室２３が位置し、空間が形成された状態となる。
【００４１】
この噴口部材２１の前面となる噴射面２４と噴射室２３の内側面との間の仕切部２２を貫通して、粉末エアゾール内容物を噴射する吐出口２５が複数個形成され、例えばこの実施の形態では、円周等間隔に３個形成してある。
【００４２】
なお、吐出口２５は、図示例に限らず、吐出口を２個としたり、さらに吐出口２５の数を増加したり、同一円周上以外の他の配置としても良い。
【００４３】
そして、各吐出口２５は出口部２６と入口部２７とで構成され、出口部２６には、噴射方向に拡大する円錐状の拡径部２８が形成され、図示例では、出口部２６の噴口部材２１の径方向外側のみに噴出方向にのみ拡大する円錐状の拡径部２８が形成してあり、図２（ａ）に示すように、外側半分が拡径する円錐面とされ、内側半分が同一径の円筒面としてある。
【００４４】
このように噴口部材２１の吐出口２５の出口部２６の全周に、噴出方向に径が大きくなる拡径部２８を形成することで、図３（ｂ）に示すように、各吐出口２５の噴射角を拡げて粉末エアゾール内容物等を噴射したときの圧迫感、冷感および噴射音を緩和することができる。
【００４５】
また、特に図示例のように、噴口部材２１の出口部２６の径方向外側のみに、噴射方向に径が大きくなる拡径部２８を形成するようにし、内側を同一径のままとすることで、各吐出口２５から噴射される内容物の噴射パターンを、図３（ａ）に示すように、内側に比べて外側だけの噴射角を拡げてそれぞれが重複しないように均一にすることができ、粉末エアゾール内容物等を噴射したときの圧迫感、冷感および噴射音を一層緩和することができる。
【００４６】
このように構成したエアゾール容器の噴射ボタン１０では、噴射ボタン本体１１の開口室１６に予め噴口部材２１を噴射面２４を外側にして取付けて組み立てた状態としておく。
【００４７】
そして、噴射ボタン本体１１の嵌合孔１２にエアゾール容器ＣのステムＳを嵌合するように連結する。
【００４８】
この状態でエアゾール容器の噴射ボタン１０を押圧してステムＳを押し下げると、図示しない弁機構が開き、エアゾール容器Ｃ内の粉末エアゾール内容物が噴射され、ステムＳを介して流通路１３に導入された後、細い連通路１５から噴口部材２１の噴射室２３に噴射される。
【００４９】
すると、細い連通路１５と対向する噴射室２３の壁面に粉末エアゾール内容物が衝突し、粉末が微粒子状に粉砕されるとともに、細い連通路１５から広い噴射室２３に噴射されることで噴射圧力が弱められる。
【００５０】
こうして微粒子状に粉砕され、噴射圧力が弱められた粉末エアゾール内容物は、噴射室２３の前方の仕切部２２に形成した複数の吐出口２５の入口部２７に入り、出口部２６から噴射対象部である人体などに噴射される。
【００５１】
このようなエアゾール容器の噴射ボタン１０によれば、噴射圧力が弱められ、しかも複数の吐出口２５から噴射されるので、粉末エアゾール内容物の拡散や噴射対象物の表面での２次拡散が防止され、吐出口２５の個数等に応じた広い面積に展着することができる。
【００５２】
また、噴口部材２１の吐出口２５の出口部２６に設けた拡径部２８で噴射角を拡げることができ、噴射に伴う噴射圧力による圧迫感や冷感を抑えることができるとともに、噴射に伴う音（噴射音）を小さくすることができる。
【００５３】
さらに、この拡径部２８を噴口部材２１の径方向外側にのみ設けるようにすれば、各吐出口２５から噴射される粉末エアゾール内容物同士が重ならないように噴射角を拡げることができ、噴射に伴う圧迫感や冷感を内容物が重ならない分だけ一層抑えることができる。
【００５４】
また、このエアゾール容器の噴射ボタン１０では、噴口部材２１の吐出口２５の入口部２７の流路壁２９が、図２に示すように、出口部２６につながる先端部が細い円錐状とその基端部に連続する円筒面に形成され、段差のない平坦面としてある。
【００５５】
これにより、噴射室２３に噴射された粉末エアゾール内容物等が円滑に吐出口２５の入口部２７に導かれるとともに、平坦な流路壁２９によって内容物の付着堆積を防止することができ、粉末エアゾール内容物による吐出口２５の詰まりを防止することができ、次の使用の際もスムーズに噴射することができる。
【００５６】
さらに、このエアゾール容器の噴射ボタン１０では、噴射ボタン本体１１の突出部１４の先端面と仕切部２２の内側面との間に噴射室２３が形成され、この噴射室２３内に粉末エアゾール内容物が細い連通路１５から一旦噴射され、この後、吐出口２５を経て人体などに噴射されることから、噴射室２３内に内容物が付着堆積することがあるが、噴射室２３を連通路１５から３つの吐出口２５に内容物を導入できる最少流路（最少空間）３１としてあるので、内容物の付着堆積を極力防止することができ、粉末エアゾール内容物による吐出口２５の詰まりを防止して、次の使用の際もスムーズに噴射することができる。
【００５７】
また、このエアゾール容器の噴射ボタン１０では、噴射室２３内に噴射された粉末エアゾール内容物等が仕切部２２の内側面、すなわち噴射室２３の先端面に沿って流下することがあり、隣接する吐出口２５の入口部２７を塞ぐ恐れがあることから、各吐出口２５の入口部２７の外周に突出させて高くした入口隆起部３２が形成してある。各入口隆起部３２は、図２（ｂ），（ｃ）に示すように、一定の高さで外周部から中心部に略Ｕ字状に形成してある。
【００５８】
このような入口隆起部３２により、隣接する吐出口２５の入口部２７から流れ落ちる内容物があっても入口隆起部３２に沿って流れることで高くなっている部分を乗り越え難く、入口部２７が内容物で塞がれることを防止できる。
【００５９】
同様にして、このエアゾール容器の噴射ボタン１０では、吐出口２５から噴射された粉末エアゾール内容物等が噴射面２４に沿って流下することがあり、隣接する吐出口２５の出口部２６を塞ぐ恐れがあることから、各吐出口２５の出口部２６の外周に突出させて高くした出口隆起部３３が形成してある。各出口隆起部３３は、図２（ａ），（ｂ）に示すように、一定の高さで外周部から中心部に略Ｕ字状に形成してある。
【００６０】
このような出口隆起部３３により、隣接する吐出口２５の出口部２６から流れ落ちる内容物があっても出口隆起部３３に沿って流れることで高くなっている部分を乗り越え難く、出口部２６が内容物で塞がれることを防止できる。
【００６１】
なお、このエアゾール容器の噴射ボタン１０での内容物により吐出口２５等が塞がれることを防止するための最少流路３１、入口隆起部３２、出口隆起部３３は、図示例のように、３つを組み合わせて設けるほかそれぞれを独立して設けたり、いずれか２つを組み合わせて設けるようにしても良く、内容物の性状などにより適宜決定すれば良い。
【００６２】
次に、この発明のエアゾール容器の噴射ボタンの他の一実施の形態について、図４により説明するが、既に説明した上記実施の形態と同一部分には、同一記号を記し、説明は省略する。
【００６３】
このエアゾール容器の噴射ボタンでは、噴口部材４１の構成が異るものであり、仕切部４２を噴射室４３側にずらして形成することで噴射面４４が窪んだ状態となっている。そして、吐出口４５の出口部４６の外周に突き出して高く形成される出口隆起部４７が円柱状に形成され、その高さが噴射面４４を窪ませた分だけ高く形成してある。
【００６４】
なお、この噴口部材４１の他の構成、すなわち入口部２７，拡径部２８、流路壁２９、最少流路３１および入口隆起部３２は、既に説明した噴口部材２１と同一である。
【００６５】
このように構成したエアゾール容器の噴射ボタンによれば、噴口部材４１の出口隆起部４７により、隣接する吐出口４５の出口部４６から流れ落ちる内容物があっても円柱状で高さの高い出口隆起部４７に沿って流れるようにでき、高くなっている出口隆起部４７部分を内容物が乗り越えることは一層難しく、出口部４６が内容物で塞がれることを一層確実に防止できる。
【００６６】
また、このエアゾール容器の噴射ボタンによっても、エアゾール容器の噴射ボタン１０と同様の作用効果を奏し、噴射圧力が弱められ、しかも複数の吐出口４５から噴射されるので、粉末エアゾール内容物の拡散や噴射対象物の表面での２次拡散が防止され、吐出口４５の個数等に応じた広い面積に展着することができる。
【００６７】
また、噴口部材４１の吐出口４５の出口部４６に設けた拡径部２８で噴射角を拡げることができ、噴射に伴う噴射圧力による圧迫感や冷感を抑えることができるとともに、噴射に伴う音（噴射音）を小さくすることができる。
【００６８】
さらに、この拡径部２８を噴口部材４１の径方向外側にのみ設けるようにすれば、各吐出口４５から噴射される粉末エアゾール内容物同士が重ならないように噴射角を拡げることができ、噴射に伴う圧迫感や冷感を内容物が重ならない分だけ一層抑えることができる。
【００６９】
次に、この発明のエアゾール容器の噴射ボタンのさらに他の一実施の形態について、図５により説明するが、既に説明した上記実施の形態と同一部分には、同一記号を記し、説明は省略する。
【００７０】
このエアゾール容器の噴射ボタン５０では、噴射ボタン本体１１の突出部１４の先端面と仕切部２２の内側面との間に噴射室５１が形成され、この噴射室５１内に粉末エアゾール内容物が細い連通路１５から一旦噴射され、この後、吐出口２５を経て人体などに噴射されるが、ここでは噴射室５１を連通路１５の先端部に円錐状の凹部として噴射ボタン本体１１側の突出部１４に形成してある。
【００７１】
そして、噴射ボタン本体１１の突出部１４の先端面が噴口部材２１の仕切部２２の内側に隆起して形成された入口隆起部３２と当接するように配置されて取り付けてある。
【００７２】
これにより、円錐状の凹部として形成された噴射室５１がそのまま連通路１５から３つの吐出口２５に内容物を導入する最少流路（最少空間）３１となる。
【００７３】
なお、このエアゾール容器の噴射ボタン５０の他の構成は既に説明した上記実施の形態と同一である。
【００７４】
このように構成したエアゾール容器の噴射ボタン５０によれば、突出部１４の先端部に円錐状の凹部として形成した噴射室５１がそのまま連通路１５から３つの吐出口２５に内容物を導入する最少流路（最少空間）３１となるので、この流路（空間）３１を一層小さくすることができ、内容物の付着堆積を一層防止でき、粉末エアゾール内容物による吐出口２５の詰まりを防止して、次の使用の際もスムーズに噴射することができる。
【００７５】
なお、この実施の形態の噴射室５１により連通路１５から３つの吐出口２５に内容物を導入する流路を最少流路（最少空間）３１とする構成を、エアゾール容器の噴射ボタンの出口隆起部４７の構成と組み合わせるようにすることもできる。
【００７６】
また、このエアゾール容器の噴射ボタン５０によっても、エアゾール容器の噴射ボタン１０と同様の作用効果を奏し、噴射圧力が弱められ、しかも複数の吐出口２５から噴射されるので、粉末エアゾール内容物の拡散や噴射対象物の表面での２次拡散が防止され、吐出口２５の個数等に応じた広い面積に展着することができる。
【００７７】
また、噴口部材２１の吐出口２５の出口部２６に設けた拡径部２８で噴射角を拡げることができ、噴射に伴う噴射圧力による圧迫感や冷感を抑えることができるとともに、噴射に伴う音（噴射音）を小さくすることができる。
【００７８】
さらに、この拡径部２８を噴口部材２１の径方向外側にのみ設けるようにすれば、各吐出口２５から噴射される粉末エアゾール内容物同士が重ならないように噴射角を拡げることができ、噴射に伴う圧迫感や冷感を内容物が重ならない分だけ一層抑えることができる。
【００７９】
なお、上記各実施の形態では、エアゾール内容物として制汗剤等の粉末エアゾール内容物を例に説明したが、これに限らず、他の粉末エアゾール製品などに広く適用することができる。
【００８０】
【発明の効果】
以上、実施の形態とともに具体的に説明したように、この発明の請求項１記載のエアゾール容器の噴射ボタンによれば、エアゾール容器のステムに嵌合される嵌合孔を有し、この嵌合孔を介してステムと連通する連通路が設けられた噴射ボタン本体と、この噴射ボタン本体の前記連通路を塞いで取り付けられ吐出口が設けられた噴口部材とを備えたエアゾール容器の噴射ボタンで、前記噴口部材に複数の前記吐出口を設けるとともに、これら吐出口の出口部を噴射方向に拡大するようにしたので、噴射ボタン本体を押してステムからエアゾール内容物を噴射させると、連通路から噴口部材に導入され噴射方向に拡大している複数の吐出口から噴射圧力を弱めて噴射することができ、エアゾール内容物の拡散を防止して広い面積に展着することができるとともに、噴射に伴う圧迫感や冷感を抑えることができ、しかも噴射音も小さくすることができる。
【００８１】
また、この発明の請求項２記載のエアゾール容器の噴射ボタンによれば、前記噴口部材に、前記吐出口を３個円周等間隔に設けるようにしたので、３個の吐出口により噴射圧力を弱めて噴射させることで、ほぼ均一に噴射させることができる。
【００８２】
さらに、この発明の請求項３記載のエアゾール容器の噴射ボタンによれば、前記噴口部材に設ける前記吐出口の出口部が、この噴口部材の径方向外側に向かってのみ拡大するようにしたので、吐出口から噴射される内容物が中心部で重ならないように噴射させることができ、一層均一に噴射することができ、エアゾール内容物の拡散を防止して広い面積に展着することができるとともに、噴射に伴う圧迫感や冷感を抑えることができ、しかも噴射音も小さくすることができる。
【００８３】
また、この発明の請求項４記載のエアゾール容器の噴射ボタンによれば、前記噴口部材の前記吐出口の前記出口部に連通する入口部の流路壁を、段差のない平坦面としたので、噴口部材の入口部に内容物が付着堆積することを防止して噴射させることができ、内容物の詰まりを防止することができ、次回も円滑に噴射することができる。
【００８４】
さらに、この発明の請求項５記載のエアゾール容器の噴射ボタンによれば、前記噴口部材の前記吐出口の前記出口部の先端部外周を吐出させて高く形成するようにしたので、例え内容物が吐出口の出口部に残留して流れ落ちるようになことがあっても高くなっている先端部外周で付着を防止することができ、内容物による閉塞を防止することができる。
【００８５】
また、この発明の請求項６記載のエアゾール容器の噴射ボタンによれば、前記噴口部材の前記吐出口の前記入口部の基端部外周を吐出させて高く形成するようにしたので、例え内容物が吐出口の入口部に残留して流れ落ちるようになことがあっても高くなっている基端部外周で付着を防止することができ、内容物による閉塞を防止することができる。
【００８６】
さらに、この発明の請求項７記載のエアゾール容器の噴射ボタンによれば、前記噴射ボタン本体に設けられる前記連通路の先端面と、この連通路を塞いで取り付けられる前記噴口部材の前記吐出口入口部の基端面とを最少流路を確保して近接して配置するようにしたので、連通路の先端面と吐出口入口部の基端面との間の空間を最少流路として内容物の残留を極力低減することができ、内容物の堆積による詰まりを一層確実に防止することができる。
【００８７】
また、この発明の請求項８記載のエアゾール容器の噴射ボタンによれば、前記エアゾール容器を、人体に噴射塗布する粉体を含有する内容物用としたので、このような内容物用のエアゾール容器に用いることでエアゾール内容物の拡散を防止して広い面積に展着することができるとともに、噴射に伴う圧迫感や冷感を抑えることができ、しかも噴射音も小さくでき、詰まりも防止することができる。
【００８８】
さらに、この発明の請求項９記載のエアゾール容器の噴射ボタンによれば、前記エアゾール容器を、人体に噴射塗布する制汗剤用としたので、このような内容物用のエアゾール容器に用いることでエアゾール内容物の拡散を防止して広い面積に展着することができるとともに、噴射に伴う圧迫感や冷感を抑えることができ、しかも噴射音も小さくでき、詰まりも防止することができる。
【図面の簡単な説明】
【図１】この発明のエアゾール容器の噴射ボタンの一実施の形態にかかる全体の正面図および縦断面図である。
【図２】この発明のエアゾール容器の噴射ボタンの一実施の形態にかかる噴口部材の正面図、縦断面図および背面図である。
【図３】この発明のエアゾール容器の噴射ボタンの一実施の形態にかかる噴射パターンの説明図である。
【図４】この発明のエアゾール容器の噴射ボタンの他の一実施の形態にかかる噴口部材の正面図、縦断面図および背面図である。
【図５】この発明のエアゾール容器の噴射ボタンのさらに他の一実施の形態にかかる全体の縦断面図である。
【図６】従来のエアゾール用押しボタンにかかり、それぞれは全体の縦断面図である。
【符号の説明】
Ｃ  エアゾール容器
Ｓ  ステム
１０，５０  エアゾール容器の噴射ボタン
１１  噴射ボタン本体
１２  嵌合孔
１３  流通路
１４  突出部
１５  連通路
１６  開口室
２１，４１  噴口部材
２２，４２  仕切部
２３，４３  噴射室
２４，４４  噴射面
２５，４５  吐出口
２６，４６  出口部
２７  入口部
２８  拡径部
２９  流路壁
３１  最少流路
３２  入口隆起部
３３，４７  出口隆起部
５１  噴射室
【図１】
2004161339.tif 000003
【図２】
2004161339.tif 000004
【図３】
2004161339.tif 000005
【図４】
2004161339.tif 000006
【図５】
2004161339.tif 000007
【図６】
2004161339.tif 000008